(57)【要約】  【課題】エンジンの逆回転始動を防止することができるディーゼルエンジンの燃料供給装置を提供する。  【解決手段】エンジン逆回転１１時には、燃料吸い込み用カム面２ｂで、プランジャ４が上死点側に押し込まれて、プランジャ室５からインジェクタ６を介して燃焼室７に燃料８が噴射されるとともに、この燃料８が噴射されるエンジン逆回転１１時の燃料噴射期間１２が、エンジン逆回転１１時の排気行程１３中に開始１２ａされ、この排気行程１３中に、噴射された燃料８の一部または全部が燃焼室７から吸気弁口１４を経て排出されるように構成され、燃料噴射カム２が複数の気筒に対応して複数設けられ、複数の気筒に燃料８を噴射する複数の燃料噴射カム２に逆回転始動防止用カム２０が用いられ、この逆回転始動防止用カム２０で燃料８が噴射される複数の気筒として、エンジンの両端の気筒が含まれている。【選択図】    図１
2018040364.tif 000002
【特許請求の範囲】
【請求項１】
燃料噴射ポンプ(１)と燃料噴射カム(２)を備え、燃料噴射カム(２)に燃料噴射用カム面(２ａ)と燃料吸い込み用カム面(２ｂ)とが設けられ、エンジン正回転(３)時には、燃料噴射用カム面(２ａ)で燃料噴射ポンプ(１)のプランジャ(４)が上死点側に押し込まれて、プランジャ室(５)からインジェクタ(６)を介して燃焼室(７)に燃料(８)が噴射され、燃料吸い込み用カム面(２ｂ)の案内で下死点側に戻されるプランジャ(４)で、プランジャ室(５)に燃料(８)が吸い込まれるように構成された、ディーゼルエンジンの燃料噴射装置において、
燃料噴射カム(２)に逆回転始動防止用カム(２０)が用いられ、この逆回転始動防止用カム(２０)は、燃料吸い込み用カム面(２ｂ)が、エンジン正回転(３)時の吸気行程(１０)の終期(１０ｃ)にプランジャ(４)のタペット(４ａ)と当接する位置まで形成され、
エンジン逆回転(１１)時には、燃料吸い込み用カム面(２ｂ)で、プランジャ(４)が上死点側に押し込まれて、プランジャ室(５)からインジェクタ(６)を介して燃焼室(７)に燃料(８)が噴射されるとともに、この燃料(８)が噴射されるエンジン逆回転(１１)時の燃料噴射期間(１２)が、エンジン逆回転(１１)時の排気行程(１３)中に開始(１２ａ)され、この排気行程(１３)中に、噴射された燃料(８)の一部または全部が燃焼室(７)から吸気弁口(１４)を経て排出されるように構成され、
燃料噴射カム(２)が複数の気筒(♯１)(♯２)(♯３)(♯４)に対応して複数設けられ、複数の気筒に燃料(８)を噴射する複数の燃料噴射カム(２)に逆回転始動防止用カム(２０)が用いられ、この逆回転始動防止用カム(２０)で燃料(８)が噴射される複数の気筒として、エンジンの両端の気筒(♯１)(♯４)が含まれている、ことを特徴とするディーゼルエンジンの燃料噴射装置。
【請求項２】
請求項１に記載されたディーゼルエンジンの燃料噴射装置において、
燃料噴射ポンプ(１)が燃料溜め室(１５)と燃料吸込口(１６)とを備え、燃料溜め室(１５)は、プランジャ室(５)の周囲に設けられ、燃料溜め室(１５)には、燃料フィードポンプ(１７)から燃料(８)が圧送され、燃料吸込口(１６)は、プランジャ室(５)の周壁(５ａ)に設けられ、燃料溜め室(１５)に臨み、
燃料吸い込み用カム面(２ｂ)が、エンジン正回転(３)時の爆発行程(２１)から吸気行程(１０)の終期(１０ｃ)に亘ってプランジャ(４)のタペット(４ａ)と当接する位置に形成されることにより、プランジャ室(５)への燃料吸込み時に、プランジャ室(５)が正圧となるように構成されている、ことを特徴とするディーゼルエンジンの燃料噴射装置。
【請求項３】
燃料噴射ポンプ(１)と燃料噴射カム(２)を備え、燃料噴射カム(２)に燃料噴射用カム面(２ａ)と燃料吸い込み用カム面(２ｂ)とが設けられ、エンジン正回転(３)時には、燃料噴射用カム面(２ａ)で燃料噴射ポンプ(１)のプランジャ(４)が上死点側に押し込まれて、プランジャ室(５)からインジェクタ(６)を介して燃焼室(７)に燃料(８)が噴射され、燃料吸い込み用カム面(２ｂ)の案内で下死点側に戻されるプランジャ(４)で、プランジャ室(５)に燃料(８)が吸い込まれるように構成された、ディーゼルエンジンの燃料噴射装置において、
燃料噴射カム(２)に逆回転始動防止用カム(２０)が用いられ、この逆回転始動防止用カム(２０)は、燃料吸い込み用カム面(２ｂ)が、エンジン正回転(３)時の吸気行程(１０)の始期(１０ａ)以降にプランジャ(４)のタペット(４ａ)と当接する位置から形成が開始(２ｃ)され、
エンジン逆回転(１１)時には、燃料吸い込み用カム面(２ｂ)で、プランジャ(４)が上死点側に押し込まれて、プランジャ室(５)からインジェクタ(６)を介して燃焼室(７)に燃料(８)が噴射されるとともに、この燃料(８)が噴射されるエンジン逆回転(１１)時の燃料噴射期間(１２)が、エンジン逆回転(１１)時の排気行程(１３)中に完了(１２ｂ)され、この排気行程(１３)中に、噴射された燃料(８)の一部または全部が燃焼室(７)から吸気弁口(１４)を経て排出されるように構成され、
燃料噴射カム(２)が複数の気筒(♯１)(♯２)(♯３)(♯４)に対応して複数設けられ、複数の気筒に燃料(８)を噴射する複数の燃料噴射カム(２)に逆回転始動防止用カム(２０)が用いられ、この逆回転始動防止用カム(２０)で燃料(８)が噴射される複数の気筒として、エンジンの両端の気筒(♯１)(♯４)が含まれている、ことを特徴とするディーゼルエンジンの燃料噴射装置。
【請求項４】
請求項１から請求項３のいずれかに記載されたディーゼルエンジンの燃料噴射装置において、
前記両端の気筒(♯１)(♯４)は、前記複数の気筒(♯１)(♯２)(♯３)(♯４)のうち、定められた爆発順序に従って、一つ置きに爆発する気筒(♯１)(♯４)である、ことを特徴とするディーゼルエンジンの燃料噴射装置。
【請求項５】
請求項１から請求項４のいずれかに記載されたディーゼルエンジンの燃料噴射装置において、
４気筒エンジンに用いられている、ことを特徴とするディーゼルエンジンの燃料噴射装置。
【発明の詳細な説明】
【技術分野】
【０００１】
本発明は、ディーゼルエンジンの燃料噴射装置に関し、詳しくは、エンジンの逆回転始動を防止することができるディーゼルエンジンの燃料供給装置に関する。
【背景技術】
【０００２】
従来、ディーゼルエンジンの燃料噴射装置として、次のものがある。
図５(Ａ)に示すように、燃料噴射ポンプ(１)と燃料噴射カム(２)を備え、燃料噴射カム(２)に燃料噴射用カム面(２ａ)と燃料吸い込み用カム面(２ｂ)とが設けられ、エンジン正回転(３)時には、燃料噴射用カム面(２ａ)で燃料噴射ポンプ(１)のプランジャ(４)が上死点側に押し込まれて、プランジャ室(５)からインジェクタ(６)を介して燃焼室(７)に燃料(８)が噴射され、燃料吸い込み用カム面(２ｂ)の案内で下死点側に戻されるプランジャ(４)で、プランジャ室(５)に燃料(８)が吸い込まれるように構成された、ディーゼルエンジンの燃料噴射装置(例えば、特許文献１参照)。
【０００３】
この種の装置によれば、燃料噴射ポンプ(１)と燃料噴射カム(２)により、簡易な構成で燃焼室(７)に燃料(８)を供給することができる利点がある。
【先行技術文献】
【特許文献】
【０００４】
【特許文献１】特開２００６−１７０４７号公報(図２参照)
【発明の概要】
【発明が解決しようとする課題】
【０００５】
《問題点》  エンジンが逆回転状態で始動することがある。
この種の装置では、エンジン搭載機械で登坂中、エンジンが停止し、機械が坂の下り方向に逆行すると、エンジンが逆回転状態で始動することがある。
【０００６】
本発明の課題は、エンジンの逆回転始動を防止することができるディーゼルエンジンの燃料供給装置を提供することにある。
【０００７】
本発明の発明者らは、研究の結果、図５(Ａ)に示す従来の燃料吸い込み用カム面(２ｂ)が、エンジン正回転(３)時の吸気行程(１０)の中期(１０ｂ)にプランジャ(４)のタペット(４ａ)と当接する位置までしか形成されていないため、エンジン逆回転(１１)時には、燃料吸い込み用カム面(２ｂ)で、プランジャ(４)が上死点側に押し込まれて、プランジャ室(５)からインジェクタ(６)を介して燃焼室(７)に燃料(８)が噴射されるとともに、図５(Ｂ)に示すように、この燃料(８)が噴射されるエンジン逆回転(１１)時の燃料噴射期間(１２)が、エンジン逆回転(１１)時の吸気行程(１８)中に開始(１２ａ)され、噴射された燃料(８)の全てが後の爆発行程(１９)で燃焼して、大きな出力が発生し、エンジンが逆回転状態で始動する不具合が生じることを発見した。
本発明の発明者らは、更に研究を重ねた結果、カムプロフィールの改良により、エンジン逆回転(１１)時、噴射された燃料(８)の一部または全部が燃焼室(７)から排出されるように構成することにより、エンジンが逆回転状態で始動する不具合を防止できることを発見し、この発明に至った。
【課題を解決するための手段】
【０００８】
(請求項１と請求項３に係る発明に共通する発明特定事項)
請求項１と請求項３に係る発明に共通する発明特定事項は、次の通りである。
図１(Ａ)または図４(Ａ)に例示するように、燃料噴射ポンプ(１)と燃料噴射カム(２)を備え、燃料噴射カム(２)に燃料噴射用カム面(２ａ)と燃料吸い込み用カム面(２ｂ)とが設けられ、エンジン正回転(３)時には、燃料噴射用カム面(２ａ)で燃料噴射ポンプ(１)のプランジャ(４)が上死点側に押し込まれて、プランジャ室(５)からインジェクタ(６)を介して燃焼室(７)に燃料(８)が噴射され、燃料吸い込み用カム面(２ｂ)の案内で下死点側に戻されるプランジャ(４)で、プランジャ室(５)に燃料(８)が吸い込まれるように構成された、ことを特徴とするディーゼルエンジンの燃料噴射装置。
【０００９】
(請求項１に固有の発明特定事項)
請求項１に係る発明に固有の発明特定事項は、次の通りである。
図１(Ａ)に例示するように、燃料噴射カム(２)に逆回転始動防止用カム(２０)が用いられ、この逆回転始動防止用カム(２０)は、燃料吸い込み用カム面(２ｂ)が、エンジン正回転(３)時の吸気行程(１０)の終期(１０ｃ)にプランジャ(４)のタペット(４ａ)と当接する位置まで形成され、
エンジン逆回転(１１)時には、燃料吸い込み用カム面(２ｂ)で、プランジャ(４)が上死点側に押し込まれて、プランジャ室(５)からインジェクタ(６)を介して燃焼室(７)に燃料(８)が噴射されるとともに、図１(Ｂ)に例示するように、この燃料(８)が噴射されるエンジン逆回転(１１)時の燃料噴射期間(１２)が、エンジン逆回転(１１)時の排気行程(１３)中に開始(１２ａ)され、この排気行程(１３)中に、噴射された燃料(８)の一部または全部が燃焼室(７)から吸気弁口(１４)を経て排出されるように構成され、
図２に例示するように、燃料噴射カム(２)が複数の気筒(♯１)(♯２)(♯３)(♯４)に対応して複数設けられ、複数の気筒に燃料(８)を噴射する複数の燃料噴射カム(２)に逆回転始動防止用カム(２０)が用いられ、この逆回転始動防止用カム(２０)で燃料(８)が噴射される複数の気筒として、エンジンの両端の気筒(♯１)(♯４)が含まれている、ことを特徴とするディーゼルエンジンの燃料噴射装置。
【００１０】
(請求項３に固有の発明特定事項)
請求項３に係る発明に固有の発明特定事項は、次の通りである。
図４(Ａ)に例示するように、燃料噴射カム(２)に逆回転始動防止用カム(２０)が用いられ、この逆回転始動防止用カム(２０)は、燃料吸い込み用カム面(２ｂ)が、エンジン正回転(３)時の吸気行程(１０)の始期(１０ａ)以降にプランジャ(４)のタペット(４ａ)と当接する位置から形成が開始(２ｃ)され、
エンジン逆回転(１１)時には、燃料吸い込み用カム面(２ｂ)で、プランジャ(４)が上死点側に押し込まれて、プランジャ室(５)からインジェクタ(６)を介して燃焼室(７)に燃料(８)が噴射されるとともに、図４(Ｂ)に例示するように、この燃料(８)が噴射されるエンジン逆回転(１１)時の燃料噴射期間(１２)が、エンジン逆回転(１１)時の排気行程(１３)中に完了(１２ｂ)され、この排気行程(１３)中に、噴射された燃料(８)の一部または全部が燃焼室(７)から吸気弁口(１４)を経て排出されるように構成され、
図２に例示するように、燃料噴射カム(２)が複数の気筒(♯１)(♯２)(♯３)(♯４)に対応して複数設けられ、複数の気筒に燃料(８)を噴射する複数の燃料噴射カム(２)に逆回転始動防止用カム(２０)が用いられ、この逆回転始動防止用カム(２０)で燃料(８)が噴射される複数の気筒として、エンジンの両端の気筒(♯１)(♯４)が含まれている、ことを特徴とするディーゼルエンジンの燃料噴射装置。
【発明の効果】
【００１１】
(請求項１，３に係る発明)
請求項１，３に係る発明は、次の効果を奏する。
《効果》  エンジンの逆回転始動を防止することができる。
図１(Ｂ)、図４(Ｂ)に例示するように、エンジン逆回転(１１)時には、排気行程(１３)中に、噴射された燃料(８)の一部または全部が燃焼室(７)から吸気弁口(１４)を経て排出されるように構成されているので、その後の爆発行程(１９)では燃料不足により、十分な出力が得られず、エンジンの逆回転始動を防止することができる。
《効果》  エンジンの逆回転始動を防止することができる。
図２に例示するように、燃料噴射カム(２)が複数の気筒(♯１)(♯２)(♯３)(♯４)に対応して複数設けられ、複数の気筒に燃料(８)を噴射する複数の燃料噴射カム(２)に逆回転始動防止用カム(２０)が用いられ、この逆回転始動防止用カム(２０)で燃料(８)が噴射される複数の気筒として、エンジンの両端の気筒(♯１)(♯４)が含まれているので、エンジン逆回転(１１)時には、エンジンの両端の気筒(♯１)(♯４)に出力不足が生じ、エンジンの逆回転始動を防止することができる。
【００１２】
(請求項２に係る発明)
請求項２に係る発明は、請求項１に係る発明の効果に加え、次の効果を奏する。
《効果》  インジェクタでのカーボンの詰まりが防止される。
図１(Ｂ)に例示するように、燃料吸い込み用カム面(２ｂ)が、エンジン正回転(３)時の爆発行程(２１)から吸気行程(１０)の終期(１０ｃ)に亘ってプランジャ(４)のタペット(４ａ)と当接する位置まで形成されることにより、プランジャ室(５)への燃料吸込み時に、プランジャ室(５)が正圧となるように構成されているので、プランジャ室(５)へのエンジンオイルの吸込みが抑制され、これに起因するインジェクタ(６)でのカーボンの詰まりが防止される。
プランジャ室(５)への燃料吸込み時に、プランジャ室(５)を正圧にすることができるのは、燃料吸い込み用カム面(２ｂ)が長い範囲に亘って形成されるため、その傾斜を緩やかにして、プランジャ(４)の下死点側への速度を低下させることができるためである。
【００１３】
(請求項４に係る発明) 
請求項４に係る発明は、請求項１から請求項３のいずれかの発明の効果に加え、次の効果を奏する。
《効果》  エンジンの逆回転始動を防止することができる。
図２に例示するように、前記両端の気筒(♯１)(♯４)は、前記複数の気筒(♯１)(♯２)(♯３)(♯４)のうち、定められた爆発順序に従って、一つ置きに爆発する気筒(♯１)(♯４)であるため、エンジン逆回転(１１)時には、一つ置きに爆発する両端の気筒(♯１)(♯４)に出力不足が生じ、エンジンの逆回転始動を防止することができる。
(請求項５に係る発明) 
請求項５に係る発明は、請求項１から請求項４のいずれかの発明の効果を奏する。  
【図面の簡単な説明】
【００１４】
【図１】本発明の第１実施形態に係るエンジンの燃料噴射装置を説明する図で、図１(Ａ)は模式図、図１(Ｂ)はタイムチャートである。
【図２】図１の装置で用いる噴射ポンプと燃料噴射カムの説明図である。
【図３】図１の装置の模式図である。
【図４】本発明の第２実施形態に係るエンジンの燃料噴射装置を説明する図で、図４(Ａ)は模式図、図４(Ｂ)はタイムチャートである。
【図５】従来技術に係るエンジンの燃料噴射装置を説明する図で、図５(Ａ)は模式図、図５(Ｂ)はタイムチャートである。
【発明を実施するための形態】
【００１５】
図１〜図３は本発明の第１実施形態に係るエンジンの燃料噴射装置を説明する図、図４は本発明の第２実施形態に係るエンジンの燃料噴射装置を説明する図であり、各実施形態では、立形直列４気筒ディーゼルエンジンの燃料噴射装置について説明する。
【００１６】
このエンジンの概要は、次の通りである。
図３に示すように、このエンジンは立形直列４気筒ディーゼルエンジンで、シリンダブロック(２２)の上部にシリンダヘッド(２３)が組み付けられ、シリンダボア(２４)内にピストン(２５)が昇降自在に内嵌され、シリンダヘッド(２３)にインジェクタ(６)が取り付けられ、シリンダヘッド(２３)の吸気ポート(２６)の吸気弁口(１４)に吸気弁(２７)が配置されている。図１(Ｂ)に示すように、シリンダヘッド(２３)には排気ポート(図外)や排気弁(２８)(図１(Ａ)参照)も形成されている。図３に示すように、ピストン(２５)の頂部には下向きに窪んだキャビティ(２９)が設けられ、キャビティ(２９)の内部が燃焼室(７)となる。インジェクタ(６)には燃料噴射ポンプ(１)から燃料(８)が圧送される。燃料噴射ポンプ(１)は、シリンダブロック(２２)に形成されたポンプ収容室(３０)に収容され、燃料噴射ポンプ(１)の下方には燃料噴射カム軸(３１)が架設されている。燃料噴射ポンプ(１)はボッシュ式の列形燃料噴射ポンプであり、４本の気筒に対応する４本のプランジャ(４)とそのプランジャ室(５)を備えている。
【００１７】
図１(Ａ)に示すように、このエンジンは、燃料噴射ポンプ(１)と燃料噴射カム(２)を備え、燃料噴射カム(２)に燃料噴射用カム面(２ａ)と燃料吸い込み用カム面(２ｂ)とが設けられ、エンジン正回転(３)時には、燃料噴射用カム面(２ａ)で燃料噴射ポンプ(１)のプランジャ(４)が上死点側に押し込まれて、プランジャ室(５)からインジェクタ(６)を介して燃焼室(７)に燃料(８)が噴射され、燃料吸い込み用カム面(２ｂ)の案内で下死点側に戻されるプランジャ(４)で、プランジャ室(５)に燃料(８)が吸い込まれるように構成されている。プランジャ(４)の下死点側への戻りは戻しばね(４ｂ)で行われる。
【００１８】
図１(Ａ)に示すように、燃料噴射カム(２)に逆回転始動防止用カム(２０)が用いられ、
この逆回転始動防止用カム(２０)は、燃料吸い込み用カム面(２ｂ)が、エンジン正回転(３)時の吸気行程(１０)の終期(１０ｃ)にプランジャ(４)のタペット(４ａ)と当接する位置まで形成されている。
エンジン逆回転(１１)時には、燃料吸い込み用カム面(２ｂ)で、プランジャ(４)が上死点側に押し込まれて、プランジャ室(５)からインジェクタ(６)を介して燃焼室(７)に燃料(８)が噴射されるとともに、図１(Ｂ)に示すように、この燃料(８)が噴射されるエンジン逆回転(１１)時の燃料噴射期間(１２)が、エンジン逆回転(１１)時の排気行程(１３)中に開始(１２ａ)され、この排気行程(１３)中に、噴射された燃料(８)の一部または全部が燃焼室(７)から吸気弁口(１４)を経て排出されるように構成されている。
図中、符号(１０ａ)はエンジン正回転(３)時の吸気行程(１０)の始期、(１０ｂ)は同中期、(２５ａ)はピストン昇降サイクル曲線、(２７ａ)は吸気カムのカムリフト曲線、(２８ａ)は排気カムのカムリフト曲線、(３２)はエンジン正回転(３)時の燃料噴射期間を示している。
【００１９】
図３に示すように、燃料噴射ポンプ(１)が燃料溜め室(１５)と燃料吸込口(１６)とを備え、燃料溜め室(１５)は、プランジャ室(５)の周囲に設けられ、燃料溜め室(１５)には、燃料フィードポンプ(１７)から燃料(８)が圧送され、燃料吸込口(１６)は、プランジャ室(５)の周壁(５ａ)に設けられ、燃料溜め室(１５)に臨んでいる。
図１(Ｂ)に示すように、燃料吸い込み用カム面(２ｂ)が、エンジン正回転(３)時の爆発行程(２１)から吸気行程(１０)の終期(１０ｃ)に亘ってプランジャ(４)のタペット(４ａ)と当接する位置に形成されることにより、プランジャ室(５)への燃料吸込み時に、プランジャ室(５)が正圧となるように構成されている。
燃料溜め室(１５)には、燃料タンク(３３)内の燃料(８)が供給され、燃料噴射に用いられなかった燃料(８)は、燃料溜め室(１５)から燃料タンク(３３)に戻る。
【００２０】
図２に示すように、燃料噴射カム(２)が４本の気筒(♯１)(♯２)(♯３)(♯４)に対応して４個設けられ、４本の気筒(♯１)(♯２)(♯３)(♯４)のうち、定められた爆発順序に従って、一つ置きに爆発する半数の気筒(♯１)(♯４)に燃料(８)を噴射する全ての燃料噴射カム(２)(２)に、逆回転始動防止用カム(２０)が用いられている。具体的には、第１気筒(♯１)と第４気筒(♯４)に燃料を噴射する全ての燃料噴射カム(２)(２)に、逆回転始動防止用カム(２０)が用いられている。第２気筒(♯２)と第３気筒(♯３)に燃料を噴射する燃料噴射カム(２)(２)には、図５(Ａ)に示す従来の燃料噴射カム(２)(２)が用いられている。
すなわち、燃料噴射カム(２)が複数の気筒(♯１)(♯２)(♯３)(♯４)に対応して複数設けられ、複数の気筒に燃料(８)を噴射する複数の燃料噴射カム(２)に逆回転始動防止用カム(２０)が用いられ、この逆回転始動防止用カム(２０)で燃料(８)が噴射される複数の気筒として、エンジンの両端の気筒(♯１)(♯４)が含まれている。
【００２１】
次に、本発明の第２実施形態について説明する。
この第２実施形態は、次の点で第１実施形態と異なる。
図４(Ａ)に示すように、燃料噴射カム(２)に逆回転始動防止用カム(２０)が用いられ、
この逆回転始動防止用カム(２０)は、燃料吸い込み用カム面(２ｂ)が、エンジン正回転(３)時の吸気行程(１０)の始期(１０ａ)以降にプランジャ(４)のタペット(４ａ)と当接する位置から形成(２ｃ)が開始されるように構成されている。
エンジン逆回転(１１)時には、燃料吸い込み用カム面(２ｂ)で、プランジャ(４)が上死点側に押し込まれて、プランジャ室(５)からインジェクタ(６)を介して燃焼室(７)に燃料(８)が噴射されるとともに、図４(Ｂ)に示すように、この燃料(８)が噴射されるエンジン逆回転(１１)時の燃料噴射期間(１２)が、エンジン逆回転(１１)時の排気行程(１３)中に完了(１２ｂ)され、この排気行程(１３)中に、噴射された燃料(８)の一部または全部が燃焼室(７)から吸気弁口(１４)を経て排出されるように構成されている。
他の構成は、第１実施形態と同一の構成とされ、図４(Ａ)(Ｂ)中、第１実施形態と同一の要素には同一の符号や名称を記載しておく。
【符号の説明】
【００２２】
(１) 燃料噴射ポンプ
(２) 燃料噴射カム
(２ａ) 燃料噴射用カム面
(２ｂ) 燃料吸い込み用カム面
(２ｃ) 形成が開始
(３) エンジン正回転
(４) プランジャ
(４ａ) タペット
(５) プランジャ室
(６) インジェクタ
(７) 燃焼室
(８) 燃料
(１０) 正回転時の吸気行程
(１０ａ) 始期
(１０ｃ) 終期
(１１) エンジン逆回転
(１２) 燃料噴射期間
(１３) 逆回転時の排気行程
(１４) 吸気弁口
(１５) 燃料溜め室
(１６) 燃料吸込口
(１７) 燃料フィードポンプ
(１８) 逆回転時の吸気行程
【図１】
2018040364.tif 000003
【図２】
2018040364.tif 000004
【図３】
2018040364.tif 000005
【図４】
2018040364.tif 000006
【図５】
2018040364.tif 000007